(57)【要約】【課題】毒餌の水濡れを防止することが可能な毒餌設置用具及び該毒餌設置用具の設置方法を提供すること。【解決手段】土台部と、前記土台部の上面に着脱可能に取り付けられる皿部と、前記土台部及び前記皿部を覆うように前記土台部に着設され、少なくとも一つの開口部を有するカバー部と、を備える毒餌設置用具；該毒餌設置用具を建屋外に設置する毒餌設置用具の設置方法を提供する。【選択図】図１
2017112872.tif 000002
【特許請求の範囲】
【請求項１】
土台部と、
前記土台部の上面に着脱可能に取り付けられる皿部と、
前記土台部及び前記皿部を覆うように前記土台部に着設され、少なくとも一つの開口部を有するカバー部と、
を備える毒餌設置用具。
【請求項２】
前記土台部は、コンクリート製である、請求項１記載の毒餌設置用具。
【請求項３】
前記開口部は、前記カバー部の下端部に設けられている、請求項１又は２記載の毒餌設置用具。
【請求項４】
前記土台部は、下面に脚部を備える、請求項１から３のいずれか一項に記載の毒餌設置用具。
【請求項５】
ネズミ駆除用である、請求項１から４のいずれか一項に記載の毒餌設置用具。
【請求項６】
請求項１から５のいずれか一項に記載の毒餌設置用具を、建屋外に設置する、毒餌設置用具の設置方法。
【請求項７】
前記建屋内への有害生物の侵入を防止するための方法である、請求項６記載の毒餌設置用具の設置方法。
【発明の詳細な説明】
【技術分野】
【０００１】
本発明は、毒餌設置用具及び該毒餌設置用具の設置方法に関する。より詳しくは、有害生物の駆除を目的として毒餌を設置するための毒餌設置用具及び該毒餌設置用具の設置方法に関する。
【背景技術】
【０００２】
殺鼠剤や殺虫剤、忌避剤などを含有する毒餌を用いて有害生物を駆除する方法が種々提案されている。例えば、特許文献１には、害虫忌避剤を含有した害虫忌避体により形成された忌避エリアにネズミ用毒餌を配置させることを特徴とするネズミ用毒餌の設置方法が開示されている。
【先行技術文献】
【特許文献】
【０００３】
【特許文献１】特開２０１１−２４４６９９号公報
【発明の概要】
【発明が解決しようとする課題】
【０００４】
しかしながら、毒餌を建屋外に設置する場合などにおいては、毒餌が水に濡れてかびてしまい、有害生物を駆除する効果が低下する場合があった。
【０００５】
そこで、本発明は、毒餌の水濡れを防止することが可能な毒餌設置用具及び該毒餌設置用具の設置方法を提供することを主目的とする。
【課題を解決するための手段】
【０００６】
すなわち、本発明は、土台部と、前記土台部の上面に着脱可能に取り付けられる皿部と、前記土台部及び前記皿部を覆うように前記土台部に着設され、少なくとも一つの開口部を有するカバー部と、を備える毒餌設置用具を提供する。
また、本発明は、上記毒餌設置用具を建屋外に設置する毒餌設置用具の設置方法を提供する。
【０００７】
なお、本発明において「毒餌」とは、有害生物を駆除するために用いられる、殺生物剤や忌避剤などの成分を含有する餌のことをいう。
【発明の効果】
【０００８】
本発明によれば、毒餌の水濡れを防止することが可能な毒餌設置用具及び該毒餌設置用具の設置方法を提供することができる。
【図面の簡単な説明】
【０００９】
【図１】本発明の第１実施形態に係る毒餌設置用具１を示す斜視図である。
【図２】本発明の第１実施形態に係る皿部３を土台部２から取り外した状態を示す図である。
【図３】本発明の第２実施形態に係る毒餌設置用具１０を示す斜視図である。
【図４】本発明の第３実施形態に係る毒餌設置用具１００を示す斜視図である。
【図５】本発明の第３実施形態に係る毒餌設置用具１００のカバー部４００を取り外した状態を示す斜視図である。
【図６】本発明の第３実施形態に係る毒餌設置用具１００の土台部２の下面を示す斜視図である。
【発明を実施するための形態】
【００１０】
以下、本発明を実施するための形態について図面を参照しながら説明する。まず、本発明に係る毒餌設置用具の実施形態について説明し、次に、本発明に係る毒餌設置用具の設置方法の実施形態について説明する。なお、以下に説明する実施形態は、本発明の実施形態の一例を示したものであり、これにより本発明の範囲が狭く解釈されることはない。
【００１１】
［１．毒餌設置用具］
＜第１実施形態＞
本発明の第１実施形態に係る毒餌設置用具は、土台部と、前記土台部の上面に着脱可能に取り付けられる皿部と、前記土台部及び前記皿部を覆うように前記土台部に着設され、少なくとも一つの開口部を有するカバー部と、を備える。
【００１２】
上記毒餌設置用具は、有害生物を駆除する目的で、有害生物に毒餌を喫食させるために用いられる。皿部の上に毒餌を置いた毒餌設置用具を設置すると、有害生物が開口部から毒餌設置用具内に進入して、皿部上の毒餌を喫食する。
【００１３】
ここで、「有害生物」とは、衛生的、経済的又は産業的に人に害を与える生物であり、毒餌を用いて駆除することを目的とする生物のことをいう。例えば、ドブネズミ、クマネズミ、ハツカネズミなどのネズミや、ゴキブリなどが挙げられる。
【００１４】
本実施形態に係る毒餌設置用具は、上記有害生物の中でもネズミを駆除対象とすることが好ましい。即ち、上記毒餌設置用具は、ネズミ駆除用として好適に用いられる。
【００１５】
（毒餌設置用具１）
まず、図１を参照して、本発明の第１実施形態に係る毒餌設置用具１について説明する。図１は、本発明の第１実施形態に係る毒餌設置用具１を示す斜視図である。毒餌設置用具１は、土台部２、皿部３、カバー部４及び開口部５，５を備える。以下、毒餌設置用具１の各構成要素について説明する。
【００１６】
（土台部２）
土台部２は、皿部３を設置するための土台となる部分である。土台部２の形状は、皿部３を設置することが可能であれば特に限定されない。例えば、立方体状、直方体状、略直方体状、薄板状、厚みのある平板状などが挙げられる。土台部２のぐらつきを抑える観点からは、土台部２の下面が平面であることが好ましい。有害生物のうち、例えば警戒心が非常に強いネズミなどは、土台部２ががたつくと、その音や動きに反応して警戒し、皿部３上の毒餌を喫食する前に逃げてしまう場合がある。
【００１７】
土台部２は、有害生物が接触しても動かないようにするために、重みがある方が好ましい。毒餌設置用具１を建屋外に設置する場合には、風雨により飛ばされないようにする観点からも、土台部２に重みがある方が好ましい。土台部２の重さは、具体的には２．４ｋｇ以上であることが好ましい。
【００１８】
土台部２の材質は、特に限定されないが、重量のあるコンクリートや金属などの材料により成形されていることが好ましい。これらの中でも、コスト及び加工容易性の観点から、土台部２はコンクリート製であることが好ましい。
【００１９】
（皿部３）
皿部３は、毒餌を置く部分である。皿部３の形状は、毒餌を置くことが可能であれば特に限定されない。例えば、円形状、楕円形状、正方形状、矩形状などが挙げられる。
【００２０】
また、皿部３の材質も特に限定されないが、皿部３の上に置く毒餌が水分によりかびないように吸湿性の低い材料を用いることが好ましく、また、長期間の使用に耐えられるよう耐食性が高い材料であることが好ましい。具体的には、ステンレス又はアルマイト処理を施したアルミニウムが好適である。
【００２１】
皿部３は、土台部２の上面に着脱可能に取り付けられる。このように着脱可能に取り付けられることにより、皿部３がずれ動くのを防ぎつつ、皿部３上に毒餌を乗せる際には皿部３を土台部２から取り外して簡単に毒餌を乗せることができる。
【００２２】
皿部３の取り付け手段は、皿部３が着脱可能であれば特に限定されないが、土台部２と皿部３とを着脱可能に取り付けるための取付部を備えることが好ましい。
【００２３】
取付部としては、例えば、一対の面ファスナー、一対の薄片状マグネット（マグネットシート）、薄片状マグネットと薄片状の金属シートの組み合わせなどが挙げられ、これら一対の取付部の一方を土台部２の上面に固定し、他方を皿部３の下面に固定する構成としてもよい。また、取付部として繰り返し離合可能な粘着シートを用いて、当該粘着シートを土台部２又は皿部３に固定してもよい。また、皿部３が磁性を有する材料で成形されている場合には、取付部として薄片状マグネットを用いて、当該薄片状マグネットを土台部２の上面に固定してもよい。これらの中でも、扱い易さ及びコストの観点から、一対の面ファスナーを用いることが好ましい。また、仮に皿部３の下面に水分が付着して水分が蒸発せずに残った場合であっても、面ファスナーは錆びないため、取付部として好適である。
【００２４】
次に、図２を参照して、取付部６について説明する。図２は、本発明の第１実施形態に係る皿部３を土台部２から取り外した状態を示す図である。
【００２５】
図２に示す取付部６は、一対の取付用面ファスナー６１，６２からなる。一方の取付用面ファスナー６１は、土台部２の上面に固定されている。他方の取付用面ファスナー６２は、皿部３の下面に固定されている。取付用面ファスナー６１と取付用面ファスナー６２を互いに接合させることにより、皿部３を土台部２の上面に取り付けることができる。
【００２６】
また、皿部３の取付位置を明確にする観点から、土台部２は、皿部３が取り付けられる部分に窪み２１を備えていてもよい。
【００２７】
（カバー部４）
次に、再度図１を参照して、カバー部４について説明する。カバー部４は、土台部２及び皿部３を覆うように土台部２に着設されており、皿部３の上に置く毒餌が水に濡れることを防ぐ役割がある。
【００２８】
本実施形態に係る毒餌設置用具１において、カバー部４は中空の略直方体状であり、カバー部４の短手側の両側面が開いて開口部５，５を形成している。土台部２は、毒餌設置用具１の内部に置かれている。毒餌設置用具１においては、土台部２がカバー部４の底面上に置かれることにより、カバー部４の底面と土台部２の下面とが着設されている。このような構成とすることにより、カバー部４がずれ動くのを防止することが可能である。
【００２９】
カバー部４が土台部２に着設されていないと、カバー部４がずれ動いてしまい、皿部３上に置いた毒餌が剥き出しの状態となって水に濡れてしまうおそれがある。また、毒餌設置用具１を建屋外に設置する場合、カバー部４が風雨により飛ばされるおそれがある。
【００３０】
カバー部４の形状は、土台部２及び皿部３を覆うように土台部３に着設されていれば特に限定されず、例えばトンネル型、ドーム型などを採用することもできる。
【００３１】
カバー部４の材料は、毒餌が水に濡れないよう、耐水性を有することが好ましい。毒餌の水濡れを防止することにより、かびの発生を抑制し、有害生物を駆除する効果を維持することが可能である。耐水性を有する材料は、特に限定されないが、加工容易性、耐久性及びコストの観点から、中空プラスチック構造板（プラスチックダンボール）又はアルマイト処理を施したアルミニウム板が好適である。
【００３２】
（開口部５）
次に、引き続き図１を参照して、開口部５について説明する。カバー部４は中空の略直方体状であり、カバー部４の短手側の両側面が開いて開口部５，５を形成している。本実施形態に係る毒餌設置用具１において、駆除対象である有害生物は、開口部５から毒餌設置用具１の内部に進入して皿部３上の毒餌を喫食する。
【００３３】
開口部５は、カバー部４の下端部に設けられていることが好ましい。有害生物が毒餌設置用具１の内部に進入し易くするためである。また、開口部５は、有害生物が通り抜けることができる大きさであることが好ましい。
【００３４】
また、図１に示す毒餌設置用具１は、開口部５を２箇所有しているが、開口部５は少なくとも一つあればよい。
【００３５】
＜第２実施形態＞
次に、図３を参照して、本発明の第２実施形態に係る毒餌設置用具１０について説明する。図３は、本発明の第２実施形態に係る毒餌設置用具１０を示す斜視図である。なお、本実施形態は、第１実施形態と異なる点について説明し、同様の点は同じ符号を付すなどして説明を割愛する。
【００３６】
図３に示すように、毒餌設置用具１０はカバー部４０を備え、カバー部４０は開口部５０，５０を有する。カバー部４０は、基本的には図１に示す第１実施形態のカバー部４と同様の形状であるが、短手側の両側面の上部にそれぞれ調節部４１，４１を備えており、調節部４１は鋲４２でカバー部４０に固定されている。
【００３７】
調節部４１は、開口部５０の高さを調節するための部分である。調節部４１を備えることにより、開口部５０の高さは、上記第１実施形態に係る毒餌設置用具１の開口部５よりも低く形成されている。
【００３８】
開口部の高さを適宜調節することで、駆除対象の有害生物以外の生物が毒餌設置用具内に進入して毒餌を喫食する事態を防止することが可能であるため、有害生物の駆除をより効率的に行うことができる。
【００３９】
例えば、駆除対象の有害生物がネズミである場合、開口部の高さを５〜７ｃｍとすることが好ましい。このような高さとすることで、ネズミは毒餌設置用具内に侵入可能であるが、ネコやカラスなどのネズミより大きな生物の侵入を防ぐことができるため、効率よくネズミを駆除することが可能である。
【００４０】
図３では、調節部４１が鋲４２によりカバー部４０に固定されている例を示したが、調節部４１は、例えば接着剤などによりカバー部４０に固定されていてもよい。また、調節部４１は、カバー部４０と一体で成形されていてもよい。
【００４１】
＜第３実施形態＞
次に、図４を参照して、本発明の第３実施形態に係る毒餌設置用具１００について説明する。図４は、本発明の第３実施形態に係る毒餌設置用具１００を示す斜視図である。なお、本実施形態は、第１実施形態と異なる点について説明し、同様の点は同じ符号を付すなどして説明を割愛する。
【００４２】
毒餌設置用具１００に係るカバー部４００は、土台部２の対向する一組の側面と土台部２の上面とを覆うトンネル型の形状をなしており、図１に示すカバー部４とは異なり底面を有していない。
【００４３】
カバー部４００を土台部２に着設する手段としては、本発明の効果を損ねない限り特に限定はされないが、図４に示すように毒餌設置用具１００が一組の着設部７，８を備えることが好ましい。
【００４４】
（一組の着設部７，８）
一組の着設部７，８は、カバー部４００を土台部２に着設するために、土台部２の対向する一対の側面に設けられている。着設部７及び着設部８のそれぞれは、例えば、一対の面ファスナー、一対の薄片状マグネット（マグネットシート）、薄片状マグネットと薄片状の金属シートの組み合わせ、繰り返し離合可能な粘着シートなどを用いて形成することができる。また、土台部２が磁性を有する材料で成形されている場合には、カバー部４００に固定した２つの薄片状マグネットを着設部７及び着設部８とすることもできる。また、着設部７及び着設部８は、それぞれ異なる材料から形成されていてもよく、例えば、着設部７として一対の面ファスナーを用い、着設部８として一対の薄片状マグネットを用いてもよい。これらの中でも、扱い易く、低コストであり、また、水分が付着しても錆びないことから、着設部７及び着設部８のそれぞれを一対の面ファスナーとすることが好ましい。
【００４５】
次に、図５を参照して、一組の着設部７，８について説明する。図５は、本発明の第３実施形態に係る毒餌設置用具１００のカバー部４００を取り外した状態を示す斜視図である。
【００４６】
図５に示す着設部７は、一対の着設用面ファスナー７１，７２からなる。一方の着設用面ファスナー７１は、土台部２の一側面に固定されている。他方の着設用面ファスナー７２は、カバー部４００の内側部分の着設用面ファスナー７１に対応する部分に固定されている。着設用面ファスナー７１と着設用面ファスナー７２を互いに接合させることにより、土台部２の一側面とカバー部４００とを着設することができる。
【００４７】
また、着設部８は、一対の着設用面ファスナー８１，８２からなる。一方の着設用面ファスナー８１は、着設用面ファスナー７１が固定された土台部２の側面に対向する側面に固定されている。他方の着設用面ファスナー８２は、カバー部４００の内側部分の着設用面ファスナー８１に対応する部分に固定されている。着設用面ファスナー８１と着設用面ファスナー８２を互いに接合させることにより、土台部２の着設部７が設けられている側面に対向する側面と、カバー部４００とを着設することができる。
【００４８】
次に、図６を参照して、毒餌設置用具１００の土台部２について説明する。図６は、本発明の第３実施形態に係る毒餌設置用具１００の土台部２の下面を示す斜視図である。
【００４９】
（脚部２２）
図６に示すように、毒餌設置用具１００の土台部２は、下面に脚部２２を備えることができる。脚部２２を備えることにより、毒餌設置用具１００を設置する場所の表面（地面、床面など）と毒餌設置用具１００の下面との間に隙間ができ、毒餌設置用具１００の下面と設置場所との接触面積を低減することが可能である。
【００５０】
本実施形態に係る毒餌設置用具１００は、日常的に水に晒される場所において好適に用いられ、より好適には飲食店の厨房内において用いられる。以下、理由を説明する。
【００５１】
ホースにより散水しながら床面を清掃する飲食店の厨房内のように、日常的に水に晒される場所に毒餌設置用具を設置する場合、設置場所と毒餌設置用具の下面とが接触していると、その接触部分に水が溜まりやすくなる。水溜りを長期間放置しておくと水が腐敗して腐敗臭が発生する場合があるため、腐敗臭を抑制する観点から、毒餌設置用具の下面に水溜りができないようにすることが好ましい。
【００５２】
本実施形態に係る毒餌設置用具１００は、脚部２２を備えることにより、毒餌設置用具１００の下面と設置場所表面との間に水が流れる隙間ができるため、水の滞留を抑制し、水溜りの発生を防ぐことが可能である。また、毒餌設置用具１００の下面と設置場所表面との接触面積が非常に小さくなるため、より効果的に水溜りを抑制することができる。
【００５３】
脚部２２の数は、特に限定されないが、図６に示すように３本が好適である。有害動物の中でも、例えばネズミは、警戒心が非常に強く土台部２ががたつくと逃げてしまうおそれがあるが、脚部２２の数を３本とすることで、設置面が安定して土台部２のがたつきを効果的に抑えることができる。また、製造コストを低減する観点からも３本とすることが好ましい。
【００５４】
脚部２２は、土台部２と一体成形されてもよく、土台部２とは別部材であってもよいが、脚部２２を着脱可能な別部材とすることが好ましい。脚部２２を取り外すことで、脚部を有しない土台部２としても使用することできるためである。
【００５５】
（脚部取付穴２３）
脚部２２を着脱可能に形成する手段は特に限定されないが、加工容易性の観点から、図６に示すように、土台部２の下面に脚部取付穴２３を設け、脚部取付穴２３に脚部２２を挿入する構成とすることが好適である。また、脚部２２と脚部取付穴２３にねじ山を設けて、脚部２２と脚部取付穴２３を螺合する構成としてもよい。
【００５６】
［２．毒餌設置用具の設置方法］
次に、本発明の一実施形態に係る毒餌設置用具の設置方法を説明する。本実施形態に係る設置方法で用いられる毒餌設置用具は、上記［１．毒餌設置用具］で説明した毒餌設置用具と同一であるため、ここでは説明を割愛する。
【００５７】
本実施形態に係る設置方法において、毒餌設置用具の設置場所は特に限定されない。当該毒餌設置用具は、毒餌の水濡れを防止するカバー部を備えているため、水に晒される場所にも設置可能である。そのため、設置場所としては雨水にあたる可能性のある建屋外が好適である。
【００５８】
毒餌設置用具を建屋外に配置することにより、建屋外に生息する有害生物を駆除することが可能である。更に、毒餌設置用具を建屋外に設置することにより、建屋内への有害生物の侵入を防止することも可能である。即ち、建屋内での有害生物による被害を軽減することも可能である。
【００５９】
ここで、建屋内の有害生物を駆除する手段としては、毒餌を建屋内に配置することが一般的である。しかしながら、人又は物の出入りや移動が激しい場所では毒餌設置用具の設置場所が非常に限られることがあり、この場合、有害生物に効率的に毒餌を喫食させることが困難であった。また、有害生物は、建屋内に保管されている食品類を喫食するために、建屋内に侵入するとすぐに食品の梱包材を齧ってしまう場合が多く、毒餌を建屋内に配置しても被害を食い止められないことがあった。更に、有害生物が建屋内に侵入して徘徊すること自体が、衛生上の観点から問題であった。
【００６０】
建屋内での有害生物による被害を軽減するためには、建屋内に侵入した有害生物を建屋内で駆除することが有効な手段の１つである。しかしながら、本発明者は、建屋内に毒餌を配置する場合の問題点に鑑み、そもそも有害生物が建屋内に侵入しないような措置を講じることが重要であると考えた。そして、毒餌設置用具を建屋外に配置することにより、建屋内への有害生物の侵入を防止することが可能であること、また、これにより建屋内での有害生物の被害を軽減できることを見出した。
【００６１】
建屋外の有害生物が建屋内に侵入するこということは、有害生物にしてみれば、人間に捕獲される危険を負うことになると考えられる。そのため、建屋外に毒餌を配置しておくことにより、有害生物は、より危険の少ない建屋外の毒餌を喫食することを選択し、結果として、有害生物の建屋内への侵入防止という優れた効果が発揮されると考えられる。
【００６２】
以上、毒餌設置用具を建屋外に設置する場合について説明したが、毒餌設置用具の設置場所は、勿論建屋内であってもよい。
【００６３】
従来は、建屋内の天井裏や屋根裏など、人目に触れにくい場所に毒餌設置用具を設置する場合、有害生物の死後即時にその死骸を回収することが難しく、死骸が長時間放置されることで悪臭が発生する原因となっていた。しかしながら、上述のように建屋外に毒餌設置用具を設置することにより、有害生物を建屋外で死に至らしめることが可能であるため、従来のように建屋内で悪臭が発生する可能性が低減される。
【００６４】
毒餌設置用具の設置場所は、建屋内の中でも、日常的に水に晒される場所が好適である。更に好適には、飲食店の厨房内である。
【００６５】
飲食店の厨房内において、厨房機器の下は有害生物が徘徊する場所の一つであるため、有害生物を駆除するためには毒餌を厨房機器の下に配置することが効果的である。飲食店の厨房内は、清掃時にホースで散水するため、厨房内に毒餌を配置する場合は毒餌が水に濡れてかびないようにする必要がある。しかしながら、従来の毒餌設置用具は、毒餌の水濡れを十分に防ぐことができず、厨房内の使用には適していなかった。
【００６６】
これに対して、本実施形態に係る設置方法において使用される毒餌設置用具は、毒餌の水濡れを防止することができるため、厨房機器の下においても好適に用いられる。これにより、厨房内を徘徊する有害生物を効率よく駆除することが可能である。
【００６７】
日常的に水に晒される場所に毒餌設置用具を設置する際は、上記［１．毒餌設置用具］で述べたように水溜り発生を抑制する観点から、設置場所との接触面積が少ない毒餌設置用具、具体的には土台部の下面に脚部を備える毒餌設置用具を用いることが好ましい。
【００６８】
本実施形態に係る毒餌設置用具の設置方法は、有害生物の駆除に好適であり、特にネズミ駆除に好適に用いられる。
【符号の説明】
【００６９】
１，１０，１００  毒餌設置用具
２  土台部
３  皿部
４，４０，４００  カバー部
５，５０  開口部
６  取付部
７，８  一組の着設部
２１  窪み
２２  脚部
２３  脚部取付穴
４１  調節部
４２  鋲
６１，６２  一対の取付用面ファスナー
７１，７２  一対の着設用面ファスナー
８１，８２  一対の着設用面ファスナー
【図１】
2017112872.tif 000003
【図２】
2017112872.tif 000004
【図３】
2017112872.tif 000005
【図４】
2017112872.tif 000006
【図５】
2017112872.tif 000007
【図６】
2017112872.tif 000008